(57)【要約】      （修正有）【課題】漏洩冷媒の拡散効果を向上させることができる空気調和装置の室内機を提供する。【解決手段】空気よりも比重の大きな微燃性ないしは可燃性冷媒を使用する熱交換器３により熱交換された調和空気を室内ファン６により吹出口５から吹き出す、空気調和装置の室内機１。漏洩冷媒を検知する冷媒センサ８と、前記吹出口５の一部を閉止し得る吹出口開閉機構とを備えている。前記冷媒センサ８が冷媒の漏洩を検知したときに、前記吹出口開閉機構により吹出口５の一部を閉止した状態で前記室内ファン６を駆動させる。【選択図】図３
2016191542.tif 000002
【特許請求の範囲】
【請求項１】
空気よりも比重の大きな微燃性ないしは可燃性冷媒を使用する熱交換器（３）により熱交換された調和空気を室内ファン（６）により吹出口（５）から吹き出す、空気調和装置の室内機（１）であって、
漏洩冷媒を検知する冷媒検知部（８）と、
前記吹出口（５）の一部を閉止し得る吹出口開閉機構と
を備え、前記冷媒検知部（８）が冷媒の漏洩を検知したときに、前記吹出口開閉機構により吹出口（５）の一部を閉止して当該一部からの調和空気の吹出しを抑制又は遮断した状態で前記室内ファン（６）を駆動させる、空気調和装置の室内機（１）。
【請求項２】
前記吹出口（５）に複数のフラップ（１０）が配設されており、前記複数のフラップ（１０）の少なくとも一部は開閉可能なフラップ（１０）であり、前記吹出口開閉機構は、前記開閉可能なフラップ（１０）を閉止するように構成されている、請求項１に記載の空気調和装置の室内機（１）。
【請求項３】
前記吹出口（５）の一部を閉止し得る遮蔽板（２０）が当該吹出口（５）に設けられており、前記吹出口開閉機構は、前記遮蔽板（２０）で吹出口（５）の一部を閉止するように構成されている、請求項１に記載の空気調和装置の室内機（１）。
【請求項４】
前記室内機（１）は床置き型の室内機（１）であり、
前記吹出口（５）は室内機（１）のケーシング（２）の上面に形成された長方形状の吹出口（５）であり、  
前記室内機（１）は、前記長方形状の吹出口（５）の一長辺が壁面に沿うように壁際に配設され、
前記吹出口開閉機構は、前記長方形状の吹出口（５）のうち壁と反対側の長辺に沿った部分を閉止するように構成されている、請求項１〜請求項３のいずれか１項に記載の空気調和装置の室内機（１）。
【請求項５】
室内機（１）への吸込口（４）に風速センサ（２２）が配設されており、この風速センサ（２２）により測定された風速が所定の値以下であるときに前記吹出口開閉機構により前記吹出口（５）をさらに閉止する、請求項１〜請求項４のいずれか１項に記載の空気調和装置の室内機（１）。
【請求項６】
前記吹出口（５）は長方形状であり、
前記吹出口開閉機構は、漏洩検知前の吹出口形状と比較して前記吹出口（５）の形状のアスペクト比が１に近づくように当該吹出口（５）の一部を閉止する、請求項１〜請求項５のいずれか１項に記載の空気調和装置の室内機（１）。
【発明の詳細な説明】
【技術分野】
【０００１】
本発明は空気調和装置の室内機に関する。さらに詳しくは、微燃性ないしは可燃性の冷媒を使用する空気調和装置の室内機に関する。
【背景技術】
【０００２】
近年、蒸気圧縮式の冷凍サイクルによって室内の冷暖房を行う空気調和装置においては、地球温暖化係数の低いＲ３２冷媒の採用が進んでいる。しかし、Ｒ３２冷媒は僅かな可燃性（微燃性）を有しており、特に、床置き型の室内機の場合、空気よりも比重が大きい冷媒が漏洩すると床面付近に滞留し、可燃濃度に達する可能性がある。このため、冷媒回路からの漏洩の有無を判定するために冷媒センサを室内機内に配置し、この冷媒センサが冷媒の漏れを検知すると、室内機に設けられた室内ファンを駆動させて当該漏洩冷媒を拡散させることが提案されている（例えば、特許文献１参照）。特許文献１記載の空気調和装置によれば、漏洩冷媒を送風により拡散させることで冷媒が可燃濃度に達するのを防止することができ、冷媒漏洩時における室内居住者に対する安全性を確保することができる。
【先行技術文献】
【特許文献】
【０００３】
【特許文献１】特開平１１−３７６１９号公報
【発明の概要】
【発明が解決しようとする課題】
【０００４】
しかし、空気の汚れがひどい状態での運転が続き、室内機の空気吸込口に設けられたフィルタが目詰まりすると、室内ファンの送風量が低下する。例えば、居住空間のペリメーターゾーンの壁際に配置される室内機は、通常、床面から室内機上面の吹出口までの距離が６００ｍｍ程度と短いため、送風量が低下すると風速が小さくなり、高い位置まで空気を吹き上げることができなくなる。吹出口から吹き上げられた空気が居住空間の高い位置から当該居住空間内に拡がることで、漏洩冷媒の効率的な拡散効果が得られるが、吹上げ高さが低くなると十分な拡散効果が得ることができなくなる。
【０００５】
本発明は、このような事情に鑑みてなされたものであり、漏洩冷媒の拡散効果を向上させることができる空気調和装置の室内機を提供することを目的としている。  
【課題を解決するための手段】
【０００６】
（１）本発明の空気調和装置の室内機（以下、単に「室内機」ともいう）は、空気よりも比重の大きな微燃性ないしは可燃性冷媒を使用する熱交換器により熱交換された調和空気を室内ファンにより吹出口から吹き出す、空気調和装置の室内機であって、
漏洩冷媒を検知する冷媒検知部と、
前記吹出口の一部を閉止し得る吹出口開閉機構と
を備え、前記冷媒検知部が冷媒の漏洩を検知したときに、前記吹出口開閉機構により吹出口の一部を閉止して当該一部からの調和空気の吹出しを抑制又は遮断した状態で前記室内ファンを駆動させる。
【０００７】
本発明の室内機では、冷媒センサ等の冷媒検知部が冷媒の漏洩を検知したときに当該冷媒を拡散させる拡散運転を行う際に、吹出口開閉機構によって吹出口の一部を閉止して当該一部からの調和空気の吹出しを抑制又は遮断する。こうすることで、吹出口が全開放されている通常運転時よりも風速を大きくして当該吹出口から調和空気を吹き出すことができる。このため、漏洩冷媒の拡散効果を向上させることができる。例えば、床置き型の室内機の場合は、床面からの空気の吹上げ高さを高くすることができ、居住空間の高い位置から空気を拡散させることで、漏洩冷媒の拡散効率を高めることができる。また、フィルタの目詰まり等により吹出口からの風速が低下しているような場合でも当該吹出口の一部を閉止して吹出面積を小さくすることで吹出空気の風速を確保して漏洩冷媒の拡散効果を向上させることができる。
【０００８】
なお、本明細書において「吹出口の一部の閉止」とは、当該一部からの空気の吹出しを実質的に遮断する場合だけでなく、例えば開閉可能なフラップを用いるときに、当該フラップの開度を小さくして空気の吹出しを抑制する場合も含む概念である。
【０００９】
（２）上記（１）の室内機において、前記吹出口に複数のフラップが配設されており、前記複数のフラップの少なくとも一部は開閉可能なフラップであり、前記吹出口開閉機構は、前記開閉可能なフラップを閉止するように構成することができる。この場合、複数のフラップの一部を閉止することで吹出口の面積を小さくして当該吹出口からの吹出空気の風速を上げることができる。
【００１０】
（３）上記（１）の室内機において、前記吹出口の一部を閉止し得る遮蔽板が当該吹出口に設けられており、前記吹出口開閉機構は、前記遮蔽板で吹出口の一部を閉止するように構成することができる。この場合、遮蔽板で吹出口の一部を閉止することで吹出口の面積を小さくして当該吹出口からの吹出空気の風速を上げることができる。
【００１１】
（４）上記（１）〜（３）の室内機において、前記室内機は床置き型の室内機であり、
前記吹出口は室内機のケーシングの上面に形成された長方形状の吹出口であり、  
前記室内機は、前記長方形状の吹出口の一長辺が壁面に沿うように壁際に配設され、
前記吹出口開閉機構は、前記長方形状の吹出口のうち壁と反対側の長辺に沿った部分を閉止するように構成することができる。この場合、吹出口から吹き出された空気は壁に沿うようにして吹き出されるので、吹出口の面積を小さくして吹出空気の風速を上げたこととの相乗効果によって、空気の吹上げ高さを高くすることができる。その結果、居住空間の高い位置から漏洩冷媒が拡散されることになるので、当該漏洩冷媒が可燃濃度になる可能性が低くなる。
【００１２】
（５）上記（１）〜（４）の室内機において、吸込口に風速センサが配設されており、この風速センサにより測定された風速が所定の値以下であるときに前記吹出口開閉機構により前記吹出口をさらに閉止することができる。この場合、風速センサにより測定された風速の値により吸込口に設けられたフィルタが目詰まりを起こしていると判断して、冷媒検知により閉止した部分よりもさらに吹出口を閉止して当該吹出口の吹出面積をさらに小さくすることで、吹出口から吹き出される空気の風速を確保することができる。これにより、漏洩冷媒の拡散効果を向上させることができる。
【００１３】
（６）上記（１）〜（５）の室内機において、前記吹出口は長方形状であり、
前記吹出口開閉機構は、漏洩検知前の吹出口形状と比較して前記吹出口の形状のアスペクト比が１に近づくように当該吹出口の一部を閉止することができる。この場合、漏洩検知前の吹出口形状と比較してアスペクト比が１に近い、正方形に近い形状の吹出口から空気を吹き出すことで、同一面積の長方形状の吹出口から吹き出す場合に比べて吹出し距離を長くすることができ、漏洩冷媒の拡散効果を向上させることができる。例えば、床置き型の室内機の場合は、吹出口の形状のアスペクト比を１に近づけることで、当該吹出口から吹き出される空気の吹上げ高さを高くすることができる。
【発明の効果】
【００１４】
本発明の室内機によれば、漏洩冷媒の拡散効果を向上させることができる。
【図面の簡単な説明】
【００１５】
【図１】本発明の室内機の一実施形態の正面説明図である。
【図２】図１に示される室内機の平面説明図である。
【図３】図１に示される室内機の側面説明図である。
【図４】（ａ）は吹出口に配設されたフラップが全開状態のときのＡ−Ａ線断面説明図であり、（ｂ）は同フラップの一部が閉止状態のときのＡ−Ａ線断面説明図である。
【図５】本発明の室内機の他の実施形態における吹出口部分の断面説明図である。
【図６】本発明の室内機のさらに他の実施形態の平面説明図である。
【図７】（ａ）は吹出口に配設されたフラップが全開状態のときのＢ−Ｂ線断面説明図であり、（ｂ）は同フラップが全閉状態のときのＢ−Ｂ線断面説明図である。
【図８】本発明の室内機の他の実施形態の外観を示す斜視図である。
【図９】本発明の室内機の他の実施形態の外観を示す正面図である。
【図１０】図８〜９に示される室内機の前面下部パネル、下部パネルカバー及び垂直フラップを外した状態の正面図である。
【図１１】図８のＩ−Ｉ線断面図である。
【図１２】図９のＩＩ−ＩＩ線断面図である。
【図１３】本発明を適用することができる室内機の外観を示す斜視図である。
【図１４】図１３に示される室内機の断面図である。
【図１５】図１３〜１４に示される室内機の前面パネル及び前面グリルを外した状態の正面図である。
【発明を実施するための形態】
【００１６】
以下、添付図面を参照しつつ、本発明の室内機の実施形態を詳細に説明する。図１は、本発明の一実施形態に係る室内機１の正面説明図であり、図２は、図１に示される室内機１の平面説明図であり、図３は、図１に示される室内機１の側面説明図である。
【００１７】
本実施形態に係る室内機１は、主として居住空間のペリメーターゾーンにおける壁際に配設される床置き型の室内機であり、箱型のケーシング２の下面（底面）に形成された吸込口４から空気が吸い込まれ、当該ケーシング２の上面に形成された吹出口５から調和空気が居住空間に吹き出される。吹出口５は長方形状を呈しており、その一長辺が壁面１３（図２参照）に沿うように壁際に配置されている。ケーシング２の高さは、通常、床面から６００ｍｍ程度であり、比較的低い位置から居住空間に調和空気が吹き出される。前記ケーシング２内には、図３に示されるように、熱交換器３及び室内ファン６が配設されている。熱交換器３はケーシング２内の上部領域に配設されており、室内ファン６は当該ケーシング２内の下部領域に配設されている。
【００１８】
熱交換器３の下方にはドレンパン７が配設されており、このドレンパン７のさらに下方であって、ケーシング２の前面パネル２ａの裏面に、冷媒の漏れを検知する冷媒検知部である冷媒センサ８が設けられている。冷媒センサ８は、前記熱交換器３からの冷媒の漏れ、又は当該熱交換器３の冷媒管３ａと外部からの冷媒配管（図示せず）との接続部等からの冷媒の漏れを検知する。本実施形態では、吸込口４の裏面に当該吸込口４から機内に吸い込まれる空気の風速を測定する風速センサ２２が配設されている。また、吸込口４にはフィルタ（図示せず）が設けられている。
【００１９】
吸込口４には複数のフラップ１０が配設されている。フラップ１０はケーシング２の長手方向（図１〜２において左右方向）に沿って配設されている。フラップ１０は帯板形状を呈しており、例えばＡＢＳ等の合成樹脂により作製することができる。本実施形態では、６本のフラップ１０のうち室内機１の前面側（図２において下側）の２本のフラップ１０が、モータ９により開閉可能な構造とされている。残りの４本のフラップ１０は手動で開度を調整できる構造とされている。本実施形態では、前記モータ９及び開閉可能な２本のフラップ１０により吹出口開閉機構が構成されている。  
【００２０】
室内機１は、通常運転時には前記６本のフラップ１０がすべて開放された状態（図４の（ａ）参照）である。そして、前記冷媒センサ８により冷媒の漏れが検知されると、この検知信号が図示しない室内機１の制御部に送信され、当該制御部からの駆動信号により前記モータ９が駆動して最も前面側の１本のフラップ１０（図４において最も左側のフラップ）が閉止される。また、本実施形態では、前述したように吸込口４に風速センサ２２が配設されており、この風速センサ２２によって測定された風速の値が所定の値（例えば、設計風速の８０％）以下であると、前記制御部からの駆動信号により前記モータ９が駆動して前面側から２本目のフラップ１０も閉止される（図４の（ｂ）参照）。すなわち、風速センサ２２により測定された風速の値が所定の値以下の場合には吸込口４に設けられたフィルタが目詰まりを起こしていると判断して、冷媒検知により閉止した部分よりもさらに吹出口５を閉止して当該吹出口５の吹出面積をさらに小さくすることで、吹出口５から吹き出される空気の風速を確保している。本実施形態では、さらに１本のフラップ１０を閉止し、合計２本のフラップ１０を閉止している。
【００２１】
室内機１の運転時には、仮に冷媒が漏れていたとしても漏洩冷媒は吸込口４から吸い込まれた空気により拡散されるため、前記冷媒センサ８により検知される可能性はほとんどなく、冷媒の漏洩は、通常は室内機１の運転停止時に検知される。この場合、まず最も前面側の１本のフラップ１０が閉止された状態で室内ファン６が駆動され、さらに、風速センサ２２によって測定された風速の値が所定の値以下であると、前面側から２本目のフラップ１０も閉止される。なお、上記説明において、開閉可能な可動フラップの数および冷媒漏洩検知時に閉止されるフラップの数は一例であり、これらの数は他の数であってもよい。
【００２２】
また、前述したようにフラップ１０の「閉止」は、図４の（ｂ）において実線で示されるように、フラップ１０からの空気の吹出しを実質的に遮断する場合だけでなく、同じく図４の（ｂ）において２点鎖線で示されるように、当該フラップ１０の開度を小さくして空気の吹出しを抑制する場合も含まれる。
【００２３】
冷媒センサ８が冷媒の漏洩を検知したときに当該冷媒を拡散させる拡散運転を行う際に、モータ９によって複数のフラップ１０の一部を閉止して当該一部からの調和空気の吹出しを抑制又は遮断することで、吹出口５が全開放されている通常運転時よりも風速を大きくして当該吹出口５から調和空気を吹き出すことができる。これにより、床面からの空気の吹上げ高さを高くすることができ、居住空間の高い位置から空気を拡散させることで、漏洩冷媒の拡散効率を高めることができる。  
【００２４】
また、本実施形態では、長方形状の吹出口５のうち壁と反対側の長辺に沿った部分を閉止している。この場合、吹出口５から吹き出された空気は壁面１３に沿うようにして吹き出されるので、吹出口５の面積を小さくして吹出空気の風速を上げたこととの相乗効果によって、空気の吹上げ高さを高くすることができる。その結果、居住空間の高い位置から漏洩冷媒が拡散されることになるので、当該漏洩冷媒が可燃濃度になる可能性が低くなる。
【００２５】
図５は、本発明の他の実施形態に係る室内機における吹出口部分の断面説明図である。図５において、左側が室内機の前面側である。この実施形態では、室内機の吹出口１８に合成樹脂製のグリル１９が配設されている。そして、このグリル１９の裏面側に前記吹出口１８の一部を閉止し得る帯板形状（図５において紙面貫通方向に細長い形状）の遮蔽板２０が配設されている。遮蔽板２０の一側縁には回動軸１７が設けられており、この回動軸１７に同じくグリル１９の裏面側に配設されたモータ２１の回転軸（図示せず）が連結されている。モータ２１を駆動させることにより遮蔽板２０を、図５において二点鎖線で示される開放位置と、図５において実線で示される閉止位置との間を回動させることができる。本実施形態では、前記遮蔽板２０、回動軸１７及びモータ２１が、吹出口１８の一部を閉止し得る吹出口開閉機構を構成している。なお、遮蔽板はケーシング２の外部、すなわち、本実施形態ではグリル１９の表面側に配置されていてもよい。
【００２６】
通常運転時には、遮蔽板２０は、２点鎖線で示される開放位置にある。そして、冷媒センサ８により冷媒の漏れが検知されると、この検知信号が図示しない室内機１の制御部に送信され、当該制御部からの駆動信号により前記モータ２１が駆動して遮蔽板２０が実線で示される位置まで回動し、吹出口１８の一部が閉止される。こうして吹出口１８の一部を閉止して当該一部からの調和空気の吹出しを抑制又は遮断することで、吹出口１８が全開放されている通常運転時よりも風速を大きくして当該吹出口１８から調和空気を吹き出すことができる。これにより、床面からの空気の吹上げ高さを高くすることができ、居住空間の高い位置から空気を拡散させることで、漏洩冷媒の拡散効率を高めることができる。
【００２７】
図６は、本発明のさらに他の実施形態に係る室内機の平面説明図である。本実施形態では、吹出口３０の長手方向の中央部分には合成樹脂製のグリル３１が配設されており、当該グリル３１の両側の左領域Ｌ及び右領域Ｒには、それぞれ開閉可能な複数のフラップ３２が配設されている。複数のフラップ３２には回転軸３３がそれぞれ設けられており、各フラップ３２は、回転軸３３を回転中心として略垂直に立った開放状態（図７の（ａ）参照）と水平に倒れた閉止状態（図７の（ｂ）参照）の２つの状態をとることができるように構成されている。そのために、複数のフラップ３２は連動板３４に接続されており、当該連動板３４を水平方向に移動させることでフラップ３２に前記２つの状態をとらせることができる。かかる連動板３４の水平移動は、例えばステッピングモータ（図示せず）を用いて行うことができる。本実施形態では、前記フラップ３２、回転軸３３、連動板３４及びステッピングモータが、吹出口３０の一部を閉止し得る吹出口開閉機構を構成している。
【００２８】
通常運転時には、フラップ３２は、図７の（ａ）で示される開放位置にある。そして、冷媒センサ８により冷媒の漏れが検知されると、この検知信号が図示しない室内機１の制御部に送信され、当該制御部からの駆動信号により前記ステッピングモータが駆動して連動板３４を水平移動させ、フラップ３２を倒れた状態（図７の（ｂ）参照）にして吹出口３０の一部、すなわちグリル３１が配設された中央部分の左右の領域が閉止される。こうして吹出口３０の一部を閉止して当該一部からの調和空気の吹出しを抑制又は遮断することで、吹出口３０が全開放されている通常運転時よりも風速を大きくして当該吹出口３０から調和空気を吹き出すことができる。これにより、床面からの空気の吹上げ高さを高くすることができ、居住空間の高い位置から空気を拡散させることで、漏洩冷媒の拡散効率を高めることができる。
【００２９】
また、本実施形態では、長方形状の吹出口３０の両端の領域を閉止して、調和空気が吹出される領域の形状を、より正方形に近い形状にしている。換言すれば、漏洩検知前の吹出口形状と比較して、吹出口３０の形状のアスペクト比が１に近づくように当該吹出口３０の一部を閉止している。こうして、漏洩検知前の吹出口形状と比較してアスペクト比が１に近い、正方形に近い形状の吹出口から空気を吹き出すことで、同一面積の長方形状の吹出口から吹き出す場合に比べて吹出し距離を長くする、すなわち吹上げ高さを高くすることができ、漏洩冷媒の拡散効果を向上させることができる。
【００３０】
図８は、本発明の他の実施形態に係る室内機１２０の外観を示す斜視図であり、図９は、同じく外観を示す正面図である。なお、以下の図８〜１２に係る室内機の説明では、図８において矢印で示されている方向に沿って、左右、前後、上下の説明を行う。
【００３１】
室内機１２０は、室内の床上に設置される床置型である。室内機１２０は、高さ方向（鉛直方向）に長い形状をしており、高さ方向中央部から上部及び下部それぞれにかけて徐々に幅が細くなっている。室内機１２０の外表面は、ケーシング部材１３１により形成されている。
【００３２】
ケーシング部材１３１は合成樹脂製であり、主に前面から側面を覆う前面カバーと、側面から背面を覆う背面カバー１３１ｂとから構成されている。前面カバーは、さらに前面上部パネル１３１ａ、前面下部パネル１３１ｃ、及び下部パネルカバー１３３等のパーツから構成されている。
【００３３】
前面上部パネル１３１ａは、室内機１２０の上部の側面から上部の背面にかけて覆い、吹出口Ｑのための鉛直に長い長方形の孔が前面の幅方向中央に形成されている。前面下部パネル１３１ｃは、室内機１２０の下部の側面から下部の前面にかけて覆い、吸込口Ｐのための鉛直に長い長方形の孔が前面の幅方向中央に形成されている。また、前面下部パネル１３１ｃには、両側面にあたる部分にも吸込口Ｐのための孔が格子状に形成されている。
【００３４】
下部パネルカバー１３３は、前面下部の幅方向中央の吸込口Ｐとして形成されている孔の前を覆う。下部パネルカバー１３３の幅方向両端と、前面下部パネル１３１ｃとの間には、隙間が形成されている。この隙間は、室内の空気を室内機１２０の内部に取り込む吸込口Ｐとなっている。
【００３５】
室内機１２０の前面のうち高さ方向中央部より上方には、高さ方向に長い２枚の垂直フラップ１３２が設けされている。２枚の垂直フラップ１３２の後方、すなわち背面側には、熱交換器１２１を通過した空気が吹き出される吹出口Ｑが設けられている。２枚の垂直フラップ１３２を合わせた幅と下部パネルカバー１３３との幅とは、同じであり、２枚の垂直フラップ１３２を合わせた左右両端と下部パネルカバー１３３の左右両端が揃うように構成されている。このため、優れた美観を生ずる。前面上部パネル１３１ａの吹出口Ｑに近接する部分には、窪み１３１ｄが設けられている。
【００３６】
室内ファン１２２は、例えばシロッコファンであり、図１０に示されるように、室内機１２０の高さ方向の中央部より下方に設けられ、下部パネルカバー１３３及び吸込口Ｐの後方に位置する。室内ファン１２２は、室内の空気を室内機１２０の内部に吸い込む。吸い込まれた空気は、室内機１２０内を上方に移動する。
【００３７】
図１１は、図８のＩ−Ｉ線断面図であり、図１２は、図９のＩＩ−ＩＩ線断面図である。室内ファン１２２により室内機１２０の内部に吸い込まれた室内の空気は、室内機１２０内を上方に移動し、図１１に示されている熱交換器１２１を通過する。熱交換器１２１を通過する際に冷媒との間で熱交換器が行われた空気は、吹出口Ｑから室内に吹き出される。熱交換器１２１の下方には、漏洩冷媒を検知する冷媒センサ（図示せず）が配設されている。
【００３８】
吹出口Ｑは、室内機１２０の前面の高さ方向中央部より上方に設けられている。吹出口Ｑは、高さ方向に長い長方形の形状をしており、室内機１２０の内部から室内への開口である。吹出口Ｑは、吹出口形成部材により形成されている。
【００３９】
図１１に示されるように、吹出口Ｑの奥に熱交換器１２１が配置されており、その前方に水平フラップ１３４が設けられている。水平フラップ１３４の前方には、垂直フラップ１３２が設けられている。
【００４０】
水平フラップ１３４は、吹出口Ｑ内に高さ方向に並んで複数設けられている。複数の水平フラップ１３４は、上下方向に並びかつそれぞれ水平方向に延びる回動軸１３６により軸支されている。複数の水平フラップ１３４は、これら回動軸１３６を支点として回動することにより、それぞれ水平方向に傾くように構成されている。
【００４１】
垂直フラップ１３２は、２つ設けられており、左側が第１垂直フラップ１３２ａであり、右側が第２垂直フラップ１３２ｂである。これら２つの垂直フラップ１３２は、それぞれ鉛直方向に延びる回動軸１３５により軸支されており、図示しない第１及び第２アクチュエータにより駆動されて回動することにより、それぞれ別々に左右方向に傾くように構成されている。垂直フラップ１３２は、当該左右方向の傾きにより風向を左右方向に調整する。２枚の垂直フラップ１３２は、吹出口Ｑから空気が吹き出されない場合は、吹出口Ｑを閉じた閉状態となるように構成されている。すなわち、閉状態では、図９及び図１２に示されるように、第１垂直フラップ１３２ａは、吹出口Ｑの左端近傍部（左半分）を覆い、第２垂直フラップ１３２ｂは、吹出口Ｑの右端近傍部（右半分）を覆うように構成されている。なお、２枚の垂直フラップ１３２が閉状態のとき、吹出口Ｑは、垂直フラップ１３２の背面側に隠れ、外からは視認することができない。
【００４２】
垂直フラップ１３２は、図１２において２点鎖線で示されるように、閉状態から内向きに回動し、吹出口Ｑが外観上視認可能な開状態となる。具体的には、左側の第１垂直フラップ１３２ａは、その左端が前方に移動し、その右端が後方に移動するように回動する。右側の第２垂直フラップ１３２ｂは、その右端が前方に移動し、その左端が後方に移動するように回動する。この開状態のときに吹出口Ｑから熱交換器１２１を通過した空気を室内に吹き出すことが可能となる。
【００４３】
複数の水平フラップ１３４のうち、上半分の水平フラップ１３４ａは、互いに連結部材１６３ａにより連結されており、図示しない第３のアクチュエータにより駆動されて一緒に動くように構成されている。また、下半分の水平フラップ１３４ｂも互いに連結部材１６３ｂにより連結されており、図示しない第４のアクチュエータにより一緒に動くように構成されている。複数の水平フラップ１３４は、当該上下方向の傾きにより吹出口Ｑからの風向を上下方向に調整する。
【００４４】
図８〜１２に係る実施形態においても、冷媒の漏洩時には、吹出口Ｑの前方（室内側）に配設されている水平フラップ１３４及び／又は当該水平フラップ１３４の前方に配設さえている垂直フラップ１３２の開閉及び開度を調整して開口を狭くすることにより、前述した実施形態と同様に、通常運転時よりも風速を大きくして室内に調和空気を吹き出すことができる。これにより、漏洩冷媒の拡散効果を向上させることができる。  
【００４５】
〔その他の変形例〕
本発明は前述した実施形態に限定されるものではなく、特許請求の範囲内において種々の変更が可能である。
例えば、前述した実施形態では、床置き型の室内機における吹出口に配設される複数のフラップの一部の開閉又は遮蔽板の開閉により、吹出口から吹き出される調和空気の風速を上げているが、これ以外に、例えば複数の吹出口を有しており、各吹出口にフラップが配設された天井埋め込み型の室内機や天吊り型の室内機において、複数の吹出口の一部をフラップで閉止することで、室内機の吹出口の一部を閉止することもできる。  
【００４６】
また、前述した実施形態では、フラップを略完全に閉止することで吹出口の一部を閉止しているが、例えば、吹出口に配設された回転可能なフラップにより風向を変更することができる壁掛け型の室内機において、当該フラップの角度調整により吹出口を狭めることで、吹出口の一部を閉止することもできる。
【００４７】
また、前述した実施形態では、冷媒検知部である冷媒センサにより冷媒の漏れを検知しているが、例えばサーミスタにより蒸発器の温度とその周囲温度との温度差、又は、凝縮器の温度とその周囲温度との温度差を求め、いずれかの温度差が基準値未満の状態が所定時間継続したときにガス欠、すなわち冷媒漏れと判断することもできる。この場合は、サーミスタ等の温度センサが、本発明における冷媒検知部を構成する。
【００４８】
また、同じ床置き型の室内機であるが、前述した実施形態に係る室内機とは異なるタイプの床置き型室内機にも本発明を適用することができる。例えば図１３〜１５に示される床置き型の室内機２０２にも本発明を適用することができる。図１３〜１５に示される室内機２０２は、主として、ケーシングユニット２５０と、ケーシングユニット２５０の内部に収容される熱交換器２２０及び室内ファン２２１とを備えている。なお、図１３および図１５において、符号Ｘ、ＹおよびＺは、それぞれ室内機２０２の左右方向、前後方向および上下方向を示している。
【００４９】
室内機２０２の外観を構成するケーシングユニット２５０は、底フレーム２５１と、前面グリル２５２と、前面パネル２５３とを備えている。このケーシングユニット２５０により形成される内部空間は、図１５に示されるように、熱交換器２２０や室内ファン２２１等が設置されるファン室２５０Ａと、電装品ユニット２２２等が設けられる配管室２５０Ｂとに区分される。
【００５０】
底フレーム２５１は、略長方形状であって、室内機２０２の背面部分を構成している。そして、底フレーム２５１の下部には、接続配管を配管室２５０Ｂに導入するための配管導入口２５１ａが設けられている。
【００５１】
前面グリル２５２は、底フレーム２５１の前面側に取り付けられる。この前面グリル２５２の上部には上側吹出口２５２ａが設けられるとともに、前面グリル２５２の下部には下側吹出口２５２ｂが設けられている。また、上側吹出口２５２ａには、フラップ２５４が回動自在に設けられており、空調運転時には上側吹出口２５２ａから冷風又は温風を所望の方向に吹き出すようにし、空調運転停止時には上側吹出口２５２ａを覆うようにしている。この前面グリル２５２の中央部分には、略長方形状の開口が設けられている。この開口には、後述する前面パネル２５３の各吸込口２５３ａ、２５３ｂ、２５３ｃ（図１３参照）から吸い込まれた空気に含まれる塵埃を捕集するフィルタ２５５が設けられている。
【００５２】
前面パネル２５３は、図１３に示されるように、前面グリル２５２の開口を覆うように取り付けられている。この前面パネル２５３の上部には上側吸込口２５３ａが設けられているとともに、前面パネル２５３の下部には下側吸込口２５３ｂが設けられている。これら上側吸込口２５３ａ及び下側吸込口２５３ｂは、幅方向（Ｘ方向）に長尺な開口であるとともに、側方吸込口２５３ｃは、上下方向（Ｚ方向）に長尺な開口である。これにより、上下左右の四方向から室内空気を吸い込むことが可能となり、当該吸込口２５３ａ、２５３ｂ、２５３ｃから吸い込んだ空気を均等に熱交換器２２０を通過させ、上側吹出口２５２ａおよび下側吹出口２５２ｂから吹き出すことが可能となる。
図１３〜１５に示されるような、中央から室内の空気を吸い込み、上下の吹出口から調和空気を吹き出すタイプの床置き型室内機にも本発明を好適に適用することができる。
【符号の説明】
【００５３】
１  ：室内機
２  ：ケーシング
２ａ：前面パネル
３  ：熱交換器
３ａ：冷媒菅
４  ：吸込口
５  ：吹出口
６  ：室内ファン
７  ：ドレンパン
８  ：冷媒センサ（冷媒検知部）
９  ：モータ
１０  ：フラップ
１３  ：壁面
１７  ：回動軸
１８  ：吹出口
１９  ：グリル
２０  ：遮蔽板
２１  ：モータ
２２  ：風速センサ
３０  ：吹出口
３１  ：グリル
３２  ：フラップ
３３  ：回転軸
３４  ：連動板
１２０：室内機
１２１：熱交換器
１２２：室内ファン
１３１：ケーシング部材
１３１ａ：前面上部パネル
１３１ｂ：背面カバー
１３１ｃ：前面下部パネル
１３１ｄ：窪み
１３２：垂直フラップ
１３２ａ：第１垂直フラップ
１３２ｂ：第２垂直フラップ
１３３：下部パネルカバー
１３４：水平フラップ
１３５：回動軸
１３６：回動軸
Ｑ  ：吹出口
Ｐ  ：吸込口
１６３ａ：連結部材
１６３ｂ：連結部材
【図１】
2016191542.tif 000003
【図２】
2016191542.tif 000004
【図３】
2016191542.tif 000005
【図４】
2016191542.tif 000006
【図５】
2016191542.tif 000007
【図６】
2016191542.tif 000008
【図７】
2016191542.tif 000009
【図８】
2016191542.tif 000010
【図９】
2016191542.tif 000011
【図１０】
2016191542.tif 000012
【図１１】
2016191542.tif 000013
【図１２】
2016191542.tif 000014
【図１３】
2016191542.tif 000015
【図１４】
2016191542.tif 000016
【図１５】
2016191542.tif 000017
【手続補正書】
【提出日】平成28年6月30日(2016.6.30)
【手続補正１】
【補正対象書類名】特許請求の範囲
【補正対象項目名】全文
【補正方法】変更
【補正の内容】
【特許請求の範囲】
【請求項１】
空気よりも比重の大きな微燃性ないしは可燃性冷媒を使用する熱交換器（３）により熱交換された調和空気を室内ファン（６）により吹出口（５）から室内に吹き出す、空気調和装置の室内機（１）であって、
漏洩冷媒を検知する冷媒検知部（８）と、
前記吹出口（５）の一部を閉止し得る吹出口開閉機構と
を備え、前記冷媒検知部（８）が冷媒の漏洩を検知したときに、前記吹出口開閉機構により前記吹出口（５）の一部を閉止することで当該吹出口（５）の吹出開口面積を減じた状態で前記室内ファン（６）を駆動させる、空気調和装置の室内機（１）。
【請求項２】
前記吹出口（５）に複数のフラップ（１０）が配設されており、前記複数のフラップ（１０）の少なくとも一部は開閉可能なフラップ（１０）であり、前記吹出口開閉機構は、前記開閉可能なフラップ（１０）を閉止するように構成されている、請求項１に記載の空気調和装置の室内機（１）。
【請求項３】
前記吹出口（５）の一部を閉止し得る遮蔽板（２０）が当該吹出口（５）に設けられており、前記吹出口開閉機構は、前記遮蔽板（２０）で前記吹出口（５）の一部を閉止するように構成されている、請求項１に記載の空気調和装置の室内機（１）。
【請求項４】
前記室内機（１）は床置き型の室内機（１）であり、
前記吹出口（５）は前記室内機（１）のケーシング（２）の上面に形成された長方形状の吹出口（５）であり、  
前記室内機（１）は、前記長方形状の吹出口（５）の一長辺が壁面に沿うように壁際に配設され、
前記吹出口開閉機構は、前記長方形状の吹出口（５）のうち壁と反対側の長辺に沿った部分を閉止するように構成されている、請求項１〜請求項３のいずれか１項に記載の空気調和装置の室内機（１）。
【請求項５】
前記室内機（１）への吸込口（４）に風速センサ（２２）が配設されており、この風速センサ（２２）により測定された風速が所定の値以下であるときに前記吹出口開閉機構により前記吹出口（５）をさらに閉止する、請求項１〜請求項４のいずれか１項に記載の空気調和装置の室内機（１）。
【請求項６】
前記吹出口（５）は長方形状であり、
前記吹出口開閉機構は、漏洩検知前の吹出口形状と比較して前記吹出口（５）の形状のアスペクト比が１に近づくように当該吹出口（５）の一部を閉止する、請求項１〜請求項５のいずれか１項に記載の空気調和装置の室内機（１）。
【手続補正２】
【補正対象書類名】明細書
【補正対象項目名】０００６
【補正方法】変更
【補正の内容】
【０００６】
（１）本発明の空気調和装置の室内機（以下、単に「室内機」ともいう）は、空気よりも比重の大きな微燃性ないしは可燃性冷媒を使用する熱交換器により熱交換された調和空気を室内ファンにより吹出口から室内に吹き出す、空気調和装置の室内機であって、
漏洩冷媒を検知する冷媒検知部と、
前記吹出口の一部を閉止し得る吹出口開閉機構と
を備え、前記冷媒検知部が冷媒の漏洩を検知したときに、前記吹出口開閉機構により前記吹出口の一部を閉止することで当該吹出口の吹出開口面積を減じた状態で前記室内ファンを駆動させる。
【手続補正３】
【補正対象書類名】明細書
【補正対象項目名】００１０
【補正方法】変更
【補正の内容】
【００１０】
（３）上記（１）の室内機において、前記吹出口の一部を閉止し得る遮蔽板が当該吹出口に設けられており、前記吹出口開閉機構は、前記遮蔽板で前記吹出口の一部を閉止するように構成することができる。この場合、遮蔽板で吹出口の一部を閉止することで吹出口の面積を小さくして当該吹出口からの吹出空気の風速を上げることができる。
【手続補正４】
【補正対象書類名】明細書
【補正対象項目名】００１１
【補正方法】変更
【補正の内容】
【００１１】
（４）上記（１）〜（３）の室内機において、前記室内機は床置き型の室内機であり、
前記吹出口は前記室内機のケーシングの上面に形成された長方形状の吹出口であり、  
前記室内機は、前記長方形状の吹出口の一長辺が壁面に沿うように壁際に配設され、
前記吹出口開閉機構は、前記長方形状の吹出口のうち壁と反対側の長辺に沿った部分を閉止するように構成することができる。この場合、吹出口から吹き出された空気は壁に沿うようにして吹き出されるので、吹出口の面積を小さくして吹出空気の風速を上げたこととの相乗効果によって、空気の吹上げ高さを高くすることができる。その結果、居住空間の高い位置から漏洩冷媒が拡散されることになるので、当該漏洩冷媒が可燃濃度になる可能性が低くなる。
【手続補正５】
【補正対象書類名】明細書
【補正対象項目名】００１２
【補正方法】変更
【補正の内容】
【００１２】
（５）上記（１）〜（４）の室内機において、前記室内機の吸込口に風速センサが配設されており、この風速センサにより測定された風速が所定の値以下であるときに前記吹出口開閉機構により前記吹出口をさらに閉止することができる。この場合、風速センサにより測定された風速の値により吸込口に設けられたフィルタが目詰まりを起こしていると判断して、冷媒検知により閉止した部分よりもさらに吹出口を閉止して当該吹出口の吹出面積をさらに小さくすることで、吹出口から吹き出される空気の風速を確保することができる。これにより、漏洩冷媒の拡散効果を向上させることができる。
【手続補正６】
【補正対象書類名】明細書
【補正対象項目名】００１９
【補正方法】変更
【補正の内容】
【００１９】
吹出口５には複数のフラップ１０が配設されている。フラップ１０はケーシング２の長手方向（図１〜２において左右方向）に沿って配設されている。フラップ１０は帯板形状を呈しており、例えばＡＢＳ等の合成樹脂により作製することができる。本実施形態では、６本のフラップ１０のうち室内機１の前面側（図２において下側）の２本のフラップ１０が、モータ９により開閉可能な構造とされている。残りの４本のフラップ１０は手動で開度を調整できる構造とされている。本実施形態では、前記モータ９及び開閉可能な２本のフラップ１０により吹出口開閉機構が構成されている。  
【手続補正７】
【補正対象書類名】図面
【補正対象項目名】図４
【補正方法】変更
【補正の内容】
【図４】
2016191542.tif 000018